【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
a)極性末端基が実質的にないフッ化ビニリデン（VDF）系フルオロエラストマー100重量部、
b)反応促進剤0.05 phrから5 phr、
c)硬化剤0.5 phrから15 phr、
d)ひとつ以上の無機酸受容体で、特に2価金属酸化物1 phrから40 phr、
e)ひとつ以上の塩基性化合物で、特に2価金属又は弱酸金属塩の水酸化物0 phrから2.5 phr、特に0 phrから1.5 phr、
f)強化充填剤0 phrから80 phr
より成る、イオンルートによって硬化可能なフッ化ビニリデン（VDF）系フルオロエラストマー組成物。
【請求項２】
フルオロエラストマー成分a)が、
以下：C2-C8パーフルオロオレフィン；水素及び/又は塩素及び/又は臭素及び/又はヨウ素を含むC2-C8フルオロオレフィン；ならびに（パー）フルオロアルキルビニルエーテル（PAVE）CF2=CFORf（Rfは、C1-C6（パー）フルオロアルキル）、パーフルオロ-オキシアルキルビニルエーテルCF2=CFOX（Xは、ひとつ以上のエーテル基を持つ、C1-C12パーフルオロオキシアルキル）およびCF2=CFOCF2OCF2CF3 （A−III）および CF2=CFOCF2OCF2-CF2OCF3 （A−IV）から選択されるフルオロビニルエーテル（VE）：から選択される、少なくとも別のエチレン型の不飽和フッ化コモノマーを含むVDFコポリマーから成る請求項1に記載の硬化性フルオロエラストマー組成物。
【請求項３】
C2-C8パーフルオロオレフィンが、ヘキサフルオロプロペン（HFP）もしくはテトラフルオロエチレン（TFE）であり；
C2-C8フルオロオレフィンが、トリフルオロエチレン、ペンタフルオロプロペン、クロロトリフルオロエチレン（CTFE）もしくはブロモトリフルオロエチレンであり；
C1-C6（パー）フルオロアルキルが、トリフルオロメチル、ブロモジフルオロメチル、パーフルオロプロピルもしくはペンタフルオロプロピルであり；および／または
C1-C12パーフルオロオキシアルキルが、パーフルオロ-2-プロポキシ-プロピルである；
請求項２に記載の硬化性フルオロエラストマー組成物。
【請求項４】
成分a)が、非フッ化C2-C8オレフィン（Ol）を含む請求項1-3のいずれか一つに記載の硬化性フルオロエラストマー組成物。
【請求項５】
成分a)が、0.01モル％から5モル％の量のフッ化ビスオレフィン由来のユニットを含む請求項1-4のいずれか一つに記載の硬化性フルオロエラストマー組成物。
【請求項６】
成分a)が以下のモル％の組成：
−  VDF 45-85％、HFP 15-45％、TFE 0-30％；
−  VDF 20-30％、HFP 15-40％、TFE 0-30％、Ol  5-30％、  PAVE  0-35％；または
−  VDF 60-75％、HFP 10-25％、VE  0-15％、TFE 0-20％
を有する請求項1-5のいずれか一つに記載の硬化性フルオロエラストマー組成物。
【請求項７】
成分a)が、末端基の総量に対して、3モル％より低い量、好ましくは1モル％より低い量の極性末端基を含む、より好ましくは極性末端基の量が0の、請求項1-6のいずれか一つに記載の硬化性フルオロエラストマー組成物。
【請求項８】
成分b)が、オニウム有機誘導体である請求項1-7のいずれか一つに記載の硬化性フルオロエラストマー組成物。
【請求項９】
オニウム有機化合物が、有機基、又は無機基に結合したN、P、S、Oから選択されたヘテロ原子を含む請求項8に記載の硬化性フルオロエラストマー組成物。
【請求項１０】
成分b)が、四級アンモニウム塩、ホスホニウム塩、又はアミノ-ホスホニウム塩から選択される請求項8または9に記載の硬化性フルオロエラストマー組成物。
【請求項１１】
成分b)が、以下：
塩化トリフェニルベンジルホスホニウム、塩化テトラフェニルホスホニウム、塩化テトラブチルアンモニウム、重硫酸テトラブチルアンモニウム、臭化テトラブチルアンモニウム、塩化トリブチルアリルホスホニウム、塩化トリブチルベンジルホスホニウム、塩化ジブチルジフェニルホスホニウム、塩化テトラブチルホスホニウム、塩化トリアリールスルホニウム、ベンジルジフェニル（ジエチルアミノ）ホスホニウムの塩、及びベンジルトリス（ジメチルアミノ）ホスホニウムの塩から選択される請求項10に記載の硬化性フルオロエラストマー組成物。
【請求項１２】
成分c)が、ポリヒドロキシ化された、芳香族化合物もしくは脂肪族化合物またはその誘導体から選択される請求項1-11のいずれか一つに記載の硬化性フルオロエラストマー組成物。
【請求項１３】
成分c)が、ビスフェノールから選択される請求項12に記載の硬化性フルオロエラストマー組成物。
【請求項１４】
成分c)が、ビスフェノール  AF、ヘキサフルオロ  イソプロピリデン  ビス（4-ヒドロキシベンゼン）である請求項13に記載の硬化性フルオロエラストマー組成物。
【請求項１５】
成分b)及びc)のかわりに、成分b)の成分c)との付加物が使用される請求項8-14のいずれか一つに記載の硬化性フルオロエラストマー組成物。
【請求項１６】
付加物が、1：1から5：1、特に2：1から5：1のモル比で、ビスフェノール及びオニウム塩により形成される、請求項15に記載の硬化性フルオロエラストマー組成物。
【請求項１７】
付加物が、反応促進剤成分b)の存在下で使用される請求項15または16に記載の硬化性フルオロエラストマー組成物。
【請求項１８】
付加物が、硬化剤成分c)の存在下で使用される請求項15または16に記載の硬化性フルオロエラストマー組成物。
【請求項１９】
付加物が、以下：
1,1-ジフェニル-1-ベンジル-N-ジエチル-ホスホランアミン、テトラブチルホスホニウム、テトラブチルアンモニウムから選択されたカチオンと、ビスフェノール化合物（2つの芳香環は、3から7の炭素原子を有するパーフルオロアルキレン基から選択されたアルキレン基により結合され、芳香環のヒドロキシルは、パラ位置にある）から選択されたアニオンとを含む請求項15-18のいずれか一つに記載の硬化性フルオロエラストマー組成物。
【請求項２０】
付加物が、以下：1,1-ジフェニル-1-ベンジル-N-ジエチル-ホスホランアミン、テトラブチルホスホニウム、テトラブチルアンモニウムから選択されたカチオンを含み、アニオンがビスフェノール  AFである請求項19に記載の硬化性フルオロエラストマー組成物。
【請求項２１】
無機酸受容体成分d)が、フッ化ビニリデンコポリマーのイオン硬化で使用される受容体、特にZnO、MgO、PbOから選択される請求項1-20のいずれか一つに記載の硬化性フルオロエラストマー組成物。
【請求項２２】
塩基性化合物成分e)が、フッ化ビニリデンコポリマーのイオン硬化で使用される塩基性化合物、特にCa(OH)2、Sr(OH)2、Ba(OH)2、又は弱酸の金属塩、特にCa、Sr、Ba、Na、及びKのカーボネート、ベンゾエート、オキサレート、及びホスファイトから選択される請求項1-21のいずれか一つに記載の硬化性フルオロエラストマー組成物。
【請求項２３】
成分f)が以下：カーボンブラック、硫酸バリウム、シリカ、シリケート、半結晶フルオロポリマーから選択される請求項1-22のいずれか一つに記載の硬化性フルオロエラストマー組成物。
【請求項２４】
半結晶フルオロポリマーが、5nmから90nm、特に10nmから60nmの大きさの請求項23に記載の硬化性フルオロエラストマー組成物。
【請求項２５】
添加物、増粘剤、顔料、酸化防止剤、安定剤、加工助剤を含む請求項1-24のいずれか一つに記載の硬化性フルオロエラストマー組成物。
【請求項２６】
加工助剤として、スルホン及びスルホランから選択された、ジ有機基で置換された硫黄酸化物が0.01 phrから5 phrの量で使用される請求項25に記載の硬化性フルオロエラストマー組成物。
【請求項２７】
請求項1-26のいずれか一つに記載の硬化フルオロエラストマー組成物。
【請求項２８】
イオンルートにより硬化された請求項27に記載のフルオロエラストマー組成物。
【請求項２９】
請求項27または28に記載の硬化フルオロエラストマー組成物から得られ得る製造物。
【請求項３０】
Ｏリング、ガスケット、シャフト封止、ホースより選択される請求項29に記載の製造物。
【手続補正２】
【補正対象書類名】明細書
【補正対象項目名】００１６
【補正方法】変更
【補正の内容】
【００１６】
群A）のオニウム有機誘導体の例は以下のとおりである：
塩化トリフェニルベンジルホスホニウム、塩化テトラフェニルホスホニウム、塩化テトラブチルアンモニウム、重硫酸テトラブチルアンモニウム、臭化テトラブチルアンモニウム、塩化トリブチルアリルホスホニウム、塩化トリブチルベンジルホスホニウム、塩化ジブチルジフェニルホスホニウム、塩化テトラブチルホスホウム、塩化トリアリールスルフォニウム。